(57)【要約】【課題】導光部を取り付ける際にＬＥＤ基板も同時に固定することにより、照明装置を取り付ける際の労力を低減することができる照明装置を提供することを可能とする。【解決手段】１組の導光板６２からなる導光部を貫通孔５２に挿入すると、係合爪６４が凹部４４の内側に位置した状態で、係合爪６４の一部が係合部３２と係合するため、係合面６６と延出部５４の前方側の面とが当接するまで導光部６０をカバー部５０に挿入するという単一の操作によって、本体部３０と導光部６０及びＬＥＤ基板４０の位置を位置決めすることができる。【選択図】図１
2015056319.tif 000002
【特許請求の範囲】
【請求項１】
一端側に係合爪を有し、入射端面から入射した光を拡散する導光部と、
前記係合爪と係合する係合部を有する本体部と、
側面側の少なくとも一部が内側に凹む凹部を有し、複数のＬＥＤが設けられているＬＥＤ基板と、
前記導光部の一部が貫通する貫通孔を有し、前記ＬＥＤ基板及び前記本体部の側面側を覆うカバー部と、
を備え、
前記貫通孔に前記導光部の一部が挿入された状態で前記係合爪の一部が前記係合部に係合すると、前記係合爪の一部が前記凹部に位置し、前記本体部と前記導光部及び前記ＬＥＤ基板とが互いに位置決めされることを特徴とする、
照明装置。
【請求項２】
前記本体部は、前記係合爪が前記係合部に係合した状態で前記導光部が前記本体部に対して回転することを規制する回転規制部材を有することを特徴とする、
請求項１に記載の照明装置。
【請求項３】
前記回転規制部材は、前記係合部内に設けられており、
前記回転規制部材の側面には、傾斜面を有し、前記回転規制部材から遠ざかるにつれて細くなるように前記係合部内に沿って突出する誘導部が設けられており、
前記本体部に対して前記導光部を回転させると、前記導光部の回転に伴って前記係合爪が前記傾斜面に沿って移動することを特徴とする、
請求項２に記載の照明装置。
【請求項４】
前記本体部は、側面に外側方向に付勢された本体部固定爪を有し、
前記カバー部は、内側面に凹状の本体部固定凹部を有し、
前記本体部固定爪の一部が前記本体部固定凹部に入り込むことで、前記本体部と前記カバー部とが固定されることを特徴とする、
請求項１又は２に記載の照明装置。
【請求項５】
前記貫通孔の内側面は、前記導光部の外側面と当接する形状に形成されていることを特徴とする、
請求項１〜４のいずれか１項に記載の照明装置。
【請求項６】
前記導光部は、２つの導光板が互いに略十字形状に組み合わさって形成されており、
複数の前記ＬＥＤは、前記ＬＥＤ基板上に前記導光部の一端側の面と対向する位置に略十字形状に配置されていることを特徴とする、
請求項１〜５のいずれか１項に記載の照明装置。
【請求項７】
前記係合爪は、前記導光板の両側面の一部が一端側に延設されており、
複数の前記ＬＥＤと前記凹部とは、直線状に並ぶ位置に配置されていることを特徴とする、
請求項６に記載の照明装置。
【発明の詳細な説明】
【技術分野】
【０００１】
本発明は、照明装置に関する。
【背景技術】
【０００２】
従来、白熱電球と比較して部品点数の多いＬＥＤを用いた照明装置を組み立てる際に、組み立てる労力を低減した様々な種類の照明装置が知られている。例えば、特許文献１には、駆動回路部の上に収納部の蓋部と放熱部を配置し、前記蓋部には位置決め用の突部と配線の貫通孔部を設けることで、駆動回路部と発光素子基板との接続を簡略化した照明装置が記載されている。この照明装置では、駆動回路部からの配線を貫通孔部に通すことでＬＥＤを備える発光素子基板の配線を容易にして駆動回路部と発光素子基板の接続方法を簡略化している。
【先行技術文献】
【特許文献】
【０００３】
【特許文献１】特開２０１１−２３３３８４号公報
【発明の概要】
【発明が解決しようとする課題】
【０００４】
ところで、ＬＥＤを用いた照明装置では、ＬＥＤから照射される光は直進性が高いため、広範囲に光を照射するためには、ＬＥＤから照射された光を拡散する導光部が必要となる。このため、ＬＥＤを用いた照明装置を組み立てる際には、導光部を組み立てる労力を考慮することも必要となる。しかしながら、こうした照明装置では、導光部の取り付けに関して何ら取り付け労力を低減するものではなく、依然として導光部の取り付けを容易にするという課題が残されている。
【０００５】
本発明は、このような課題に鑑みなされたものであり、導光部を取り付ける際にＬＥＤ基板も同時に固定することにより、照明装置を取り付ける際の労力を低減することができる照明装置を提供することを主目的とする。
【課題を解決するための手段】
【０００６】
本発明は、上述の主目的を達成するために以下の手段を採った。
【０００７】
本発明の照明装置は、
一端側に係合爪を有し、入射端面から入射した光を拡散する導光部と、
前記係合爪と係合する係合部を有する本体部と、
側面側の少なくとも一部が内側に凹む凹部を有し、複数のＬＥＤが設けられているＬＥＤ基板と、
前記導光部の一部が貫通する貫通孔を有し、前記ＬＥＤ基板及び前記本体部の側面側を覆うカバー部と、
を備え、
前記貫通孔に前記導光部の一部が挿入された状態で前記係合爪の一部が前記係合部に係合すると、前記係合爪の一部が前記凹部に位置し、前記本体部と前記導光部及び前記ＬＥＤ基板とが互いに位置決めされることを特徴とするものである。
【０００８】
本発明の照明装置は、導光部の一端側に係合爪を有しており、カバー部の貫通孔に導光部の一部が挿入されると、係合爪と本体部に設けられた係合部とが係合する。このとき、係合部の一部がＬＥＤ基板の側面に設けられた凹部に位置するため、導光部を貫通孔に挿入して係合部と係合爪とを係合することで本体部と導光部とを位置決めすると、同時に導光部とＬＥＤ基板とが位置決めされることになり、導光部を取り付ける一連の動作の中で、本体部と導光部及びＬＥＤ基板とを同時に位置決めすることができる。このため、本体部と導光部、本体部とＬＥＤ基板、導光部とＬＥＤ基板のそれぞれを別々に位置決めする場合と比較して、より取り付け労力を低減することができる。
【０００９】
本発明の照明装置において、前記本体部は、前記係合爪が前記係合部に係合した状態で前記導光部が前記本体部に対して回転することを規制する回転規制部材を有することを特徴としてもよい。こうすれば、係合爪が係合部に係合した状態で導光部の回転が規制されるため、係合爪と係合部とを位置合わせする労力を低減することができる。
【００１０】
本態様を採用した照明装置において、前記回転規制部材は、前記係合部内に設けられており、前記回転規制部材の側面には、傾斜面を有し、前記回転規制部材から遠ざかるにつれて細くなるように前記係合部内に沿って突出する誘導部が設けられており、前記本体部に対して前記導光部を回転させると、前記導光部の回転に伴って前記係合爪が前記傾斜面に沿って移動することを特徴としてもよい。こうすれば、導光部を回転させるという簡単な操作で傾斜面に沿って係合爪が移動し、導光部を本体部の後方側に押し込むことができる。このため、係合爪が係合部の方向に導かれることになり、係合爪と係合部とを位置合わせする際の労力が低減し、係合爪と係合部とを係合させる際の労力を低減させることができる。
【００１１】
本発明の照明装置において、前記本体部は、側面に外側方向に付勢された本体部固定爪を有し、前記カバー部は、内側面に凹状の本体部固定凹部を有し、前記本体部固定爪の一部が前記本体部固定凹部に入り込むことで、前記本体部と前記カバー部とが固定されることを特徴としてもよい。こうすれば、カバー部が本体部から離脱する可能性を未然に低減することができる。
【００１２】
本発明の照明装置において、前記貫通孔の内側面は、前記導光部の外側面と当接する形状に形成されていることを特徴としてもよい。こうすれば、貫通孔に導光部を挿入することで、導光部の外側面が貫通孔の内側面で固定されることになるため、貫通孔に導光部を挿入することで、導光部をカバー部に容易に固定することができる。
【００１３】
本発明の照明装置において、前記導光部は、２つの導光板が互いに略十字形状に組み合わさって形成されており、複数の前記ＬＥＤは、前記ＬＥＤ基板上に前記導光部の一端側の面と対向する位置に略十字形状に配置されていることを特徴としてもよい。こうすれば、略十字形状に配置された導光板のそれぞれの端面側にＬＥＤが位置することになるため、ＬＥＤから照射された光を導光部に導入することができる。
【００１４】
この態様を採用した本発明の照明装置において、前記係合爪は、前記導光板の両側面の一部が一端側に延設されており、複数の前記ＬＥＤと前記凹部とは、直線状に並ぶ位置に配置されていることを特徴としてもよい。こうすれば、係合爪が導光板の主面の一部が一端側に延設している場合と比較して、係合爪と係合爪との距離が離れるため、本体部に導光部を固定する際の安定性がより高くなる。
【図面の簡単な説明】
【００１５】
【図１】図１は、照明装置２０の構成の概略を示す分解斜視図である。
【図２】図２は、本体部３０の構成の概略を示す斜視図である。
【図３】図３は、カバー部５０の構成の概略を示す斜視図である。
【図４】図４は、ＬＥＤ基板４０の正面図である。
【図５】図５は、カバー部５０と導光部６０との取り付け方を説明するための断面図である。
【図６】図６は、本体部３０と導光部６０との取り付け方を説明するための斜視図である。
【図７】図７は、本体部３０と導光部６０とが当接した状態を説明するための斜視図である。
【図８】図８は、本体部３０に導光部６０を固定した状態を説明するための斜視図である。
【図９】図９は、拡散ドット６８のバリエーションを説明するための部分拡大斜視図である。
【発明を実施するための形態】
【００１６】
次に、上記簡単に説明した図面に基づいて、本発明の実施の形態の一例である照明装置２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号が付されており、説明の都合上、図５〜図８では、拡散ドット６８は省略し、図１では、拡散ドット６８を実際よりも大きく、かつ、少数で示している。また、照明装置２０の導光部６０側（図１中矢印方向側）を「前方側」、口金３１側（図１中矢印と逆方向側）を「後方側」として説明するが、相対的な位置関係を示すものであり、絶対的な位置関係を限定するものではない。
【００１７】
本発明の実施の形態の一例である照明装置２０は、図１に示すように、図示しない電源基板等が内部に収納された本体部３０と、一対の導光板６２を十字形状に組み合わせてなる導光部６０と、複数のＬＥＤ４２（図４参照）を備えたＬＥＤ基板４０と、導光部６０が挿入可能な貫通孔５２を有するカバー部５０と、を備えている。この照明装置２０は、ＬＥＤ基板４０を本体部３０の所定の位置に配置した状態で、導光部６０及びカバー部５０を本体部３０に固定することで、容易に照明装置２０を組み立てることができる。
【００１８】
本体部３０は、図２に示すように、全体として略円柱形状に近い外形を有し、前方側の面は後方側に凹む収納凹部３３が、後方側には側面にらせん状の溝を有する口金３１がそれぞれ設けられている。収納凹部３３は、ＬＥＤ基板４０と口金３１とを電気的に接続するための導線等が収納され、この収納凹部３３に導線等を収納することで、照明装置２０を組み立てる際にＬＥＤ基板４０を回転させても断線等が生じないように、導線等の長さを十分に確保することができる。言い換えると、照明装置２０を組み立てる際にＬＥＤ基板４０と口金３１との電気的な接続が損なわれる可能性を未然に低減することができる。また、本体部３０の前方側側面には、係合部３２が、口金３１と係合部３２との間であって側面側には本体部固定爪３８が、それぞれ設けられている。この本体部３０は、後方側に設けられた口金３１を図示しないＬＥＤ電球用取付部（例えば、ＪＩＳ規格で定められたＥ２６口が取り付け可能な取付部）に螺合し、照明装置２０に電力が供給可能な状態とする。
【００１９】
係合部３２は、本体部３０の側面の前方側に位置し、本体部３０の前方側及び側面側が開放された凹部である。この係合部３２の前方側にＬＥＤ基板４０が配置されると、ＬＥＤ基板４０の一面が係合部３２の前方側に位置する（図１参照）。また、係合部３２は、後方側から前方側に向かって回転規制部材３４が略等間隔で４つ設けられており、回転規制部材３４の前方側には、それぞれ係合部３２内に沿って誘導部３６が設けられている。この誘導部３６の後方側は、傾斜面３６ａが形成されており、回転規制部材３４から遠ざかるにつれて誘導部３６が細くなるように形成されている（図６参照）。このため、係合部３２に後述する係合爪６４ａ及び係合爪６４ｂ（以下、「係合爪６４」ともいう。）が挿入された状態で導光部６０を回転しても、所定の位置で回転が規制される。また、係合爪６４が係合部３２に係合した状態で導光部６０を回転すると、係合爪６４が傾斜面３６ａに沿って導光部６０の回転に伴って後方側に移動し、導光部６０と本体部３０とが互いに近づく。こうすることにより、導光部６０を回転させることにより、導光部６０を本体部３０の後方側に押し込むことができる。
【００２０】
本体部固定爪３８は、本体部３０の外側方向に突出する凸部材であり、本体部３０から遠ざかる方向に付勢されている。この本体部固定爪３８の一部が、後述するカバー部５０と本体部３０とを固定した際に、カバー部５０に設けられた本体部固定凹部５６に入り込む。一度本体部固定凹部５６に本体部固定爪３８が入り込むと、本体部固定爪３８は本体部３０から遠ざかる方向に付勢されているため、本体部３０が左回転しようとした場合であっても、本体部固定爪３８が引っかかり、本体部３０の回転を規制する。こうすることにより、本体部３０とカバー部５０とが分離する可能性を未然に低減することができる。
【００２１】
ＬＥＤ基板４０は、図４に示すように、四方側面側にそれぞれ中心方向に凹む凹部４４が設けられた板状の部材であり、本体部３０の前方側に配置され（図１参照）、カバー部５０と本体部３０とが固定されると、カバー部５０と本体部３０とによって挟持される。このＬＥＤ基板４０は、図４に示すように、表面に互いに直交して十字形状に複数のＬＥＤ４２が設けられており、このＬＥＤ４２が設けられている近傍の側面に凹部４４が設けられている。言い換えると、互いに対向する位置に設けられた凹部４４と凹部４４との間に複数のＬＥＤ４２が直線状に設けられている。ＬＥＤ基板４０の表面に設けられたＬＥＤ４２は、白色光を発する発光ダイオードであり、ＬＥＤ基板４０及び図示しない導線等を介して口金３１と電気的に接続されている。このため、口金３１が図示しないＬＥＤ電球用取付部に螺合されると、ＬＥＤ４２に電力が供給され、ＬＥＤ４２が発光する。また、ＬＥＤ基板４０と導光部６０に設けられた後述する入射端面６１（図１参照）との間には空間が設けられているため、導光部６０に外部から衝撃等が加えられた場合であっても、この衝撃等が導光部６０を介してＬＥＤ４２が破損する可能性を未然に低減することができる。
【００２２】
カバー部５０は、図３に示すように、前方側の面に貫通孔５２を有し、後方側の面が開放された筒状の部材であり、前方側の内側側面には内側方向に突出する延出部５４が、後方側の内側側面には本体部固定凹部５６（図１参照）がそれぞれ設けられている。この貫通孔５２は、導光部６０の外周と略同一形状の内周面を有しており、後述する係合面６６と延出部５４の前方側の面とが当接するまで導光部６０を貫通孔５２に挿入することで、導光部６０が右回転又は左回転することができない状態で導光部６０が位置決めする。この状態で、本体部３０をカバー部５０に後方側から挿入すると、本体部固定爪３８が本体部固定凹部５６に挿入されて、本体部３０とカバー部５０とが固定される。このように、導光部６０及び本体部３０をカバー部５０に挿入するという簡単な操作で、本体部３０と導光部６０とを容易に固定することができる。このとき、本体部３０とカバー部５０とが当接することにより、使用によりＬＥＤ４２が発熱した場合には、ＬＥＤ４２の熱がＬＥＤ基板４０を及び本体部３０を介してカバー部５０に熱を伝わり、カバー部５０から熱を外部に放出することができる。こうすることにより、熱によってＬＥＤ４２に不具合が生じる可能性を未然に低減することができる。なお、このカバー部５０は、金属製の部材であってもよい。こうすれば、ＬＥＤ４２で発生した熱をより効率よく外部に放熱することができるため、ＬＥＤ４２で発生した熱をより外部に放出し易くし、熱によってＬＥＤ４２に不具合が生じる可能性をより低減することができる。
【００２３】
導光部６０は、図１に示すように、一組の導光板６２ａ及び導光板６２ｂ（以下、「導光板６２」とも言う。）が、互いに略十字形状に組み合わされてなり、導光板６２の後方側の端部は、後方側に突出して係合爪６４ａ及び係合爪６４ｂ（以下、「係合爪６４」とも言う。）を形成しており、この係合爪６４がＬＥＤ基板４０の凹部４４を通って本体部３０の係合部３２と係合し、ＬＥＤ基板４０を配置した状態で導光部６０を本体部３０に固定する。また、係合爪６４の前方側の部分は、導光板６２よりもやや幅が狭くなっており、この幅の差により係合面６６ａ及び係合面６６ｂ（以下、「係合面６６」とも言う。）が形成される。
【００２４】
導光板６２は、所望の形に形成されたメタクリル樹脂性の板状部材であり、両側主面には、複数の拡散ドット６８が設けられている。この導光板６２では、導光板６２の後方側に配置されたＬＥＤ４２から照射された光が、両側主面に設けられた複数の拡散ドット６８によって拡散され、主に主面方向に光が出射される。
【００２５】
拡散ドット６８は、導光板６２の両側主面に複数設けられた四角錐形状に凹む凹部（図９Ａ参照）であり、拡散ドット６８の各辺の長さが約０．６ｍｍ、深さが約０．４ｍｍであり、隣り合う四角錐型の拡散ドット６８間のピッチが２．０ｍｍに形成されている。この拡散ドット６８は、四角錐底面に相当する位置が主面側に設けられている。また、拡散ドット６８は、拡散ドット６８を形成する四角錐底面の向きが同一の向き（例えば、四角錐底面の対角線が前後方向と平行又は直交する向き）になるように設けられている。こうすることにより、拡散ドット６８の向きが同一でない場合と比較して、整然とした印象や、均一感を演出することができる。
【００２６】
この拡散ドット６８を形成する際には、先端面に拡散ドット６８を反転させた形状を有する加工ドットが縦横に複数マトリックス状に配置されている超音波加工ホーンを導光板６２に対して垂直に押圧することで、加工ドットの形状が反映された形状の四角錐形の拡散ドット６８を形成することができる。
【００２７】
次に、この照明装置２０の組み立て方法について、図５〜図８を用いて詳しく説明する。照明装置２０を組み立てる際には、まず、導光部６０とカバー部５０の固定した後に、所定の位置にＬＥＤ基板４０が配置された本体部３０と導光部６０及びカバー部５０とを固定することで、照明装置２０を組み立てる。このため、ここではまず、図５を用いて導光部６０とカバー部５０とを固定する固定方法を説明した後に、図６〜図８を用いて、導光部６０及びカバー部５０とＬＥＤ基板４０が所定の位置に配置された本体部３０とを固定する固定方法について説明する。なお、ここで、図５は導光部６０とカバー部５０とを固定する固定方法を説明するための説明図であり、図５Ａは導光部６０をカバー部５０に固定する前の状態、図５Ｂは導光部６０をカバー部５０に固定した状態をそれぞれ示している。
【００２８】
導光部６０とカバー部５０とを固定する際には、図５Ａに示すように、導光部６０をカバー部５０に設けられた貫通孔５２に挿入する。具体的には、係合面６６と延出部５４の前方側の面とが当接するまで導光部６０をカバー部５０に挿入する（図５Ｂ参照）。このとき、貫通孔５２は、導光部６０の外周と略同一の形状の内周を有するため、導光部６０を貫通孔５２に挿入することで、容易に導光部６０を位置決めすることができ、導光部６０が右方向又は左方向に回転することを未然に防止することができる。このように、係合面６６と延出部５４とが当接するまで導光部６０を貫通孔５２に挿入するという簡単な手法により、導光部６０とカバー部５０とを固定することができる。
【００２９】
次に、導光部６０を本体部３０に位置決めする方法について、図６を用いて詳しく説明する。ここで、図６は、導光部６０を本体部３０に位置決めする方法を説明するための説明図である。なお、図６中においては、説明のためカバー部５０は省略している。本体部３０と導光部６０とを固定する際には、図６に示すように、予め本体部３０の所定の位置にＬＥＤ基板４０を配置し、ＬＥＤ基板４０と図示しない電源基板とを電気的に接続する。こうすることにより、口金３１に供給された電力をＬＥＤ基板４０を介してＬＥＤ４２に供給することができる。このとき、ＬＥＤ基板４０は、外周に沿って視認した際に、凹部４４と誘導部３６とが重ならない位置に配置される。言い換えると、本体部３０に配置された状態のＬＥＤ基板４０を側面側から見た場合には、凹部４４と誘導部３６とが交互に位置するように見える。こうすることにより、導光部６０と本体部３０とを固定する際、係合爪６４が誘導部３６に移動を規制されること無く、凹部４４を通過して係合部３２に到達することができる。本体部３０の所定の位置にＬＥＤ基板４０を配置した後、図６中の矢印で示すように、凹部４４を通過して係合部３２に係合爪６４が当接するまで導光部６０と本体部３０とを近づける（図７参照）。このとき、係合爪６４の幅と凹部４４の幅とは略同一又は凹部４４の幅がやや広くなるように作られているため、係合爪６４により、凹部４４の移動が規制され、ＬＥＤ基板４０が右回転又は左回転することを規制することができる。言い換えると、本体部３０に導光部６０を固定することにより、同時にＬＥＤ基板４０も本体部３０に固定することができる。このため、別途ＬＥＤ基板４０を本体部３０に固定する必要が無く、照明装置２０を組み立てる労力を低減することができる。このとき、ＬＥＤ基板４０に設けられた複数のＬＥＤ４２と凹部４４とは一直線上に位置し、係合爪６４が導光板６２の左右両側の端部に位置しているため、ＬＥＤ４２は導光板６２の入射端面６１に対向する位置に位置することになり、ＬＥＤ４２から出射した光が導光板６２の入射端面６１から、導光板６２に入射し、拡散ドット６８によって拡散される。このように、複数のＬＥＤ４２の位置と導光部６０の位置を合わせる労力を低減することができる。この効果は、導光部６０のように、互いに十字型に組み合わされた導光板６２を用いる場合に、特に効果が大きい。
【００３０】
続いて、導光部６０を本体部３０に固定する固定方法について図７及び図８を用いて詳しく説明する。ここで、図７及び図８は導光部６０を本体部３０に固定する固定方法を説明するための説明図であり、図７は導光部６０と本体部３０とが固定される前の状態を、図８は導光部６０と本体部３０とが固定された後の状態を、それぞれ示している。このとき、図７Ａ及び図７Ｂは、導光部６０と本体部３０とが固定される前の同様の状態を示しているが、図７Ａはカバー部５０を省略している点、図７Ｂは導光部６０を省略している点でそれぞれ異なる。また、図８についても、導光部６０と本体部３０とが固定された後の同様の状態を示しているが、図８Ａはカバー部５０を省略している点、図８Ｂは導光部６０を省略している点で異なる。
【００３１】
導光部６０を本体部３０に固定する際には、固定前の状態（図７参照）の導光部６０を本体部３０に対して右方向に回転し、固定後の状態（図８参照）にする。こうすることにより、導光部６０を本体部３０に対して右方向に回転するという簡単な動作で、導光部６０を本体部３０に固定することができる。具体的には、本体部３０に対して、導光部６０を係合爪６４が回転規制部材３４に当接するまで右回転する。導光部６０が右回転すると、同時に係合爪６４も右回転し、係合爪６４に押圧されてＬＥＤ基板４０も回転する。導光部６０を回転させると、係合爪６４の前方側の面と誘導部３６の傾斜面３６ａとが当接する（図７参照）。この状態で更に導光部６０を右方向に回転すると、傾斜面３６ａは回転規制部材３４に近づくにつれて口金３１に近づく方向に傾斜しているため、導光部６０の回転に伴って係合爪６４が後方側に押圧され、導光部６０が本体部３０の後方側に押し込まれる。この状態で更に導光部６０を右方向に回転すると、係合爪６４と回転規制部材３４とが当接して、導光部６０の回転が規制される（図８参照）。この係合爪６４と回転規制部材３４とが当接した状態まで導光部６０を回転すると、図８Ｂに示すように、本体部固定凹部５６に本体部固定爪３８に挿入され、本体部３０とカバー部５０とが互いに固定される。また、同時に延出部５４の後方側の面がＬＥＤ基板４０の表面を後方に押圧することになるため、本体部３０の前方側の面と延出部５４の後方側の面とによってＬＥＤ基板４０が挟持される。このように、導光部６０を貫通孔５２に挿入した後に導光部６０を右回転するという簡単な操作で、導光部６０、カバー部５０、ＬＥＤ基板４０及び本体部３０をそれぞれ固定することができるため、照明装置２０を容易に組み立てることができ、照明装置２０の組み立て労力を低減することができる。
【００３２】
以上詳述した本実施の形態の照明装置２０によれば、導光部６０を貫通孔５２に挿入すると、係合爪６４が凹部４４の内側に位置した状態で、係合爪６４の一部が係合部３２と係合するため、係合面６６と延出部５４の前方側の面とが当接するまで導光部６０をカバー部５０に挿入するという単一の操作によって、本体部３０と導光部６０及びＬＥＤ基板４０の位置を位置決めすることができる。つまり、照明装置２０を組み立てる際の労力を低減することができる。
【００３３】
また、係合部３２の前方側の側面には前方側から遠ざかる方向に傾斜する傾斜面３６ａを有する誘導部３６が設けられているため、係合部３２に係合爪６４の一部が係合した状態で導光部６０を右回転すると、係合爪６４が傾斜面３６ａに沿って移動することになり、導光部６０の回転に伴って、導光部６０が本体部３０の後方側に押し込まれる。こうすることにより、導光部６０を回転させるという簡単な操作により、導光部６０を本体部３０の後方側に押し込むことができる。つまり、照明装置２０を組み立てる際の労力を低減することができる。
【００３４】
更に、係合部３２には回転規制部材３４が設けられているため、係合爪６４の一部が係合部３２に挿入された状態で導光部６０を回転させた際には、係合爪６４が回転規制部材３４と当接することにより、所定の位置で導光部６０の回転が規制される。このため、導光部６０を回転させる量を考慮すること無く導光部６０を回転させても、所望の位置まで導光部６０を回転させることができる。言い換えると、導光部６０を回転させる量を調節する必要が無いため、照明装置２０を組み立てる際の労力を低減することができる。
【００３５】
更にまた、本体部の外側側面には外側方向に付勢された本体部固定爪３８が設けられており、カバー部５０の内側側面には本体部固定凹部５６が設けられているため、係合爪６４の一部を係合部３２に挿入した状態で導光部６０を回転すると、導光部６０の回転に伴ってカバー部５０も回転し、本体部固定爪３８の一部が本体部固定凹部５６に入り込み、カバー部５０と本体部３０とを固定する。つまり、照明装置２０を組み立てる際の労力を低減することができる。
【００３６】
そして、貫通孔５２の内側面は導光部６０の外側面と当接する形状に形成されているため、貫通孔５２に導光部６０を固定すると、導光部６０の表面と貫通孔５２の表面とが当接し、互いに固定される。つまり、導光部６０をカバー部５０に固定する労力を低減することができるため、照明装置２０を組み立てる際の労力を低減することができる。
【００３７】
そしてまた、導光部６０は、導光板６２ａ及び導光板６２ｂが互いに十字形状に組み合わさって形成されており、ＬＥＤ４２がＬＥＤ基板４０上に十字形状に組み合わさって形成されているため、ＬＥＤ４２が導光部６０の入射端面６１と対向する位置に位置することになり、ＬＥＤ４２から照射された光を導光部６０で拡散される。このため、ＬＥＤ４２から照射された光が導光部６０を経ることなく直接照射されることを未然に防止することができる。
【００３８】
そして更にまた、係合爪６４は、導光板６２の両端面の一部が延設されており、ＬＥＤ４２が凹部４４とＬＥＤ４２とが直線状に並ぶ位置に設けられているため、係合爪６４を凹部４４に挿入可能な位置に位置決めすると、ＬＥＤ４２が入射端面６１と対向する位置に位置することになるため、入射端面６１の位置とＬＥＤ４２の位置とを合わせる必要が無い。このため、ＬＥＤ４２から照射された光が導光部６０を経ることなく直接照射されることを未然に防止するとともに、照明装置２０を組み立てる際の労力を低減することができる。
【００３９】
なお、本発明は上述した実施形態に何ら限定されることはなく、本発明の技術的範囲に属する限り種々の態様で実施し得ることはいうまでもない。
【００４０】
例えば、上述した実施の形態では、導光板６２はメタクリル樹脂製であるものとしたが、光が内部を通過可能な透明な樹脂であれば特に限定されるものではなく、例えば、メチルメタクリレートやエチルメタクリレート等のメタクリル樹脂の他、メチルアクリレート、エチルアクリレート等のアクリル製樹脂、ポリカーボネート、ポリエチレン等の樹脂を使用することができる。また、可視光を拡散可能な微粒子状の拡散剤を添加してもよい。いずれの場合も、上述した実施の形態と同様の効果を得ることができる。
【００４１】
上述した実施の形態では、導光板６２の両側主面に複数の拡散ドット６８を設けるものとしたが、拡散ドット６８は一方側の主面にのみ設けても良いし、設けなくとも良い。このような場合でも、例えば、導光板６２に拡散剤を混ぜたり、主面にレーザー加工痕等を設けたりすることにより、上述した実施の形態と同様の効果が得られる。
【００４２】
上述した実施の形態では、拡散ドット６８は、四角錐形状の凹部であり、拡散ドット６８の各辺の長さが約０．６ｍｍ、深さが約０．４ｍｍであり、隣り合う四角錐型の拡散ドット６８間のピッチが２．０ｍｍに形成されているものとしたが、これに限定されるものではなく、適宜好適なサイズを選択することができる。四角錐型の拡散ドット６８の各辺の長さは、例えば、０．２ｍｍ〜１．５ｍｍで選択してもよい。また、四角錐型の拡散ドット６８の深さは、例えば、０．４ｍｍ〜０．８ｍｍで選択してもよい。更に、隣り合う四角錐型の拡散ドット６８間のピッチは、例えば、１．５ｍｍ〜８．０ｍｍのピッチの間から適宜選択してもよいし、１．５ｍｍ〜３．０ｍｍであってもよい。いずれの場合であっても、上述した実施の形態と同様の効果を得ることができる。
【００４３】
上述した実施の形態では、拡散ドット６８は四角錐形状の凹部であるものとしたが、拡散ドット６８として形成される拡散凹部の形状及び大きさは、特に限定するものではない。適宜様々な形状及び大きさの拡散凹部からなる拡散ドット６８を採用することができる。例えば、図９Ｂは、円錐側の拡散凹部からなる拡散ドット６８を示している。図９Ｃは、四角柱型の拡散凹部からなる拡散ドット６８を示している。図９Ｄは、四角錐台形の拡散凹部からなる拡散ドット６８を示している。図９Ｅは、半球型の拡散凹部からなる拡散ドット６８を示している。また作製方法としては、超音波加工、加熱加工、レーザー加工、切削加工等種々の加工方法を採用してもよいし、予め凹凸が刻まれた金型を用いて射出成形等の方法を用いてもよい。また、例えば、図９Ｆに示すように、凸状の膨らんだ拡散凸部であってもよい。拡散凸部は、クリーン印刷やシルク印刷等によって、盛り上がるように（凸状）主面に形成する。また、それぞれの拡散ドット６８の大きさは、同じであっても異なっていても良い。例えば、後方側から上方側に向かって、四角錐型の拡散ドット６８の各辺を徐々に長くしたり、四角錐型の拡散ドット６８の深さを徐々に深くしたりしても良い。こうすれば、ＬＥＤ４２から近く光が強い位置では拡散される光量が小さくなり、ＬＥＤ４２から遠ざかるにつれて拡散される光量が大きくなるため、主面から照射される光の光量を均一に近づけることができる。
【００４４】
上述した実施の形態では、ＬＥＤ４２は、平面発光型の白色の発光ダイオードとしたが、平面発光型に限定されるものでなく、側面発光型、砲弾型等いずれのタイプであってもよい。また、ＬＥＤ４２の光の色は、白色に限定するものではなく、例えば、赤色、橙色、黄色、緑色、青色、藍色又は紫色のいずれかの色若しくはそれらの色の組み合わせ等であってもよい。いずれの場合であっても、上述した実施の形態と同様の効果が得られる。
【００４５】
上述した実施の形態では、誘導部３６を設けるものとしたが、誘導部３６は無くともよい。この場合であっても、係合爪６４を係合部３２の適切な位置に位置決めすることで、上述した実施の形態と同様の効果が得られる。
【００４６】
上述した実施の形態では、回転規制部材３４を設けるものとしたが、回転規制部材３４は無くともよい。この場合であっても、本体部３０に対して導光部６０を適切な位置まで回転することで、上述した実施の形態と同様の効果が得られる。
【００４７】
上述した実施の形態では、導光板６２ａと導光板６２ｂとを十字に組み合わせるものとしたが、組み合わせる導光板の数は２枚に限定されるものではなく、３枚以上であってもよいし、十字型に限定されず、任意の形に組み合わせても良い。更に、組み合わせる複数の導光板の形状は、同一であってもよいし、異なっていても良い。いずれの場合であっても、入射端面６１と対向する位置にＬＥＤ４２を配置することで、上述した実施の形態と同様の効果を得ることができる。
【産業上の利用可能性】
【００４８】
上述した実施の形態で示すように、照明分野、特に、ＬＥＤ電球として利用することができる。
【符号の説明】
【００４９】
２０…照明装置、３０…本体部、３１…口金、３２…係合部、３３…収納凹部、
３４…回転規制部材、３６…誘導部、３６ａ…傾斜面、３８…本体部固定爪、
４０…ＬＥＤ基板、４２…ＬＥＤ、４４…凹部、５０…カバー部、
５２…貫通孔、５４…延出部、５６…本体部固定凹部、６０…導光部、
６１…入射端面、６２…導光板、６４…係合爪、６６…係合面、６８…拡散ドット。
【図１】
2015056319.tif 000003
【図２】
2015056319.tif 000004
【図３】
2015056319.tif 000005
【図４】
2015056319.tif 000006
【図５】
2015056319.tif 000007
【図６】
2015056319.tif 000008
【図７】
2015056319.tif 000009
【図８】
2015056319.tif 000010
【図９】
2015056319.tif 000011